(57)【特許請求の範囲】
【請求項１】
バッチ本体の裏面に突設した取付ピンの先端部に止具を差し込んで取付体に固定するようにしたピンバッチにおいて、上記取付ピンが貫通する基板と該基板から上記止具を取り囲むように起立する起立壁を有するスペ−サ−を形成し、該スペ−サ−の起立壁内に上記止具が収納された状態で上記止具が上記取付ピンに装着されることを特徴とするピンバッチの保護装置。
【請求項２】
バッチ本体の裏面に突設した取付ピンの先端部に止具を差し込んで取付体に固定するようにしたピンバッチにおいて、基板の周囲に上記止具を取り囲むよう起立する起立壁を有するスペ−サ−を形成し、該スペ−サ−の起立壁内に上記止具が収納された状態で上記止具が上記取付ピンに装着されることを特徴とするピンバッチの保護装置。
【請求項３】
上記基板には、バッチ本体を起立させてその基端を挿入できるよう保持溝が形成されている請求項１または２に記載のピンバッチの保護装置。
【発明の詳細な説明】
【０００１】
【発明の属する技術分野】
本発明はバッチ本体の裏面に取付ピンを有するピンバッチに関し、特に該ピンバッチの取付ピンが他の物に損傷を与えることがないようにしたピンバッチの保護装置に係るものである。
【０００２】
【従来の技術】
取付ピンを有するピンバッチは、取付ピンを台紙や衣服，帽子等の取付体に差し込み、背面側から止具を取付ピンの先端部に差し込んで固定されている。この止具として一般的に使用されてるものは、クラッチと称され、広く知られている。すなわち、この止具（１）は、図８に示すように、ピンバッチ（２）のバッチ本体（３）の裏面に突設した取付ピン（４）が貫通する孔（図示略）を有する本体（５）と、該取付ピン（４）を弾性的にくわえ込む挟着片（６),（６）と、該取付ピンの先端を覆うカバ−片（７）を有しており、該カバ−片（７）は、一般にプレス成形等により成形された薄い金属材料で形成されている。
【０００３】
図８は、上記ピンバッチ（２）を台紙（８）に取り付け、フィルムやシ−ト等の薄い包装材料で形成された袋（９）内に収納した状態を示している。ピンバッチの販売や販売促進等のためにピンバッチを商品に添付する場合には、このようにして包装されることが多い。
【０００４】
例えば、図９に示すように、ＰＥＴボトル(10)に詰められた飲料等の販売促進のために、ピンバッチ（２）を袋（９）に収納し、この袋（９）の吊下孔(11)を上記ボトル(10)のネック部(12)に挿入してボトル(10)に装着することがある。上記のようにしてピンバッチ入りの袋（９）を装着したボトル(10)…は、外箱(13)内に所定数収納されて出荷され、搬送される。この際、上記袋は、内部のピンバッチがボトルとボトルの間に挟まれないように、図において上方に位置させておくが、搬送中の振動，衝撃等により次第に落ち込んでボトルとボトルの間にピンバッチが位置することがある。
【０００５】
上述したように、止具のカバ−片（７）は薄いアルミ材料, 真ちゅう材料等の金属材料で形成されているから、指先で取扱う程度では破損することがないが、搬送中の衝撃等によって強い押圧力が取付ピンの軸方向に作用すると簡単に取付ピンが突き刺り、先端が外方に露出することがある。上記カバ−片に、成形時のヒビ割れ、亀裂等が存在していると、そのような事故は一層起りやすい。そして、カバ−片から取付ピンの先端が露出すると、台紙や袋を貫通して上記ＰＥＴボトルに孔を明けて損傷することがあり、その結果内容物が流出して周囲を汚染したり、商品価値をなくしてしまうことがあった。
【０００６】
また、ピンバッチは、上述したように台紙や衣服，帽子等に取付けて装着したり、展示したりされるが、背面に取付ピン等を有するので起立させたり、水平に展示等することができなかった。
【０００７】
【発明が解決しようとする課題】
本発明の解決課題は、ピンバッチを搬送したり、保管したりする際、取付ピンの先端が止具のカバ−片を突き破るような事態を生じないようにしたピンバッチの保護装置を提供することである。
【０００８】
また、本発明の解決課題は、ピンバッチを起立状態や水平状態に展示することもできるようにしたピンバッチの保護装置を提供することである。
【０００９】
【課題を解決するための手段】
本発明によれば、バッチ本体の裏面に突設した取付ピンの先端部に止具を差し込んで取付体に固定するようにしたピンバッチにおいて、上記取付ピンが貫通する基板と該基板から上記止具を取り囲むように起立する起立壁を有するスペ−サ−を形成し、該スペ−サ−の起立壁内に上記止具が収納された状態で上記止具が上記取付ピンに装着されることを特徴とするピンバッチの保護装置が提供され、上記課題が解決される。
【００１０】
また、本発明によれば、上記ピンバッチにおいて、基板の周囲に上記止具を取り囲むよう起立する起立壁を有するスペ−サ−を形成し、該スペ−サ−の起立壁内に上記止具が収納された状態で上記止具が上記取付ピンに装着されていることを特徴とするピンバッチの保護装置が提供され、上記課題が解決される。
【００１１】
さらに、本発明によれば、上記基板にバッチ本体を起立させてその基端を挿入できる保持溝が形成されている上記ピンバッチの保護装置が提供され、上記課題が解決される。
【００１２】
【発明の実施の形態】
図面は、本発明の一実施例を示し、公知のようにピンバッチ（２）のバッチ本体（３）の裏面には、取付ピン（４）が突設され、該取付ピンの基端側には、台紙、衣服、帽子等の取付体に取付けた際、回転を防止するための小突起(14)が設けられているが、該小突起を設けないものもある。
【００１３】
上記取付ピン（４）の先端部に差し込まれる止具（１）は、公知のように取付ピン（４）が貫通する孔（図示略）を有する本体（５）と、該取付ピン（４）を弾性的にくわえ込む挟着片（６),（６）と、該取付ピンの先端を覆うカバ−片（７）を有している。そして、本体（５）の孔に取付ピン（４）の先端を差し込んで押し込めば該取付ピン（４）に止具（１）を固定することができ、挟着片（６),（６）をつまんで押し付けるようにしながら引張れば止具（１）を取付ピン（４）から外すことができる。
【００１４】
上記止具（１）を収納することができるスペ−サ−(15)が設けられている。図１等に示すスペ−サ−(15)は、上記取付ピン（４）が貫通する孔(16)を有する基板(17)と、上記止具（１）を取り囲み、取付ピンに取付けた止具が実質的に突出しないような高さで基板(17)上に起立する起立壁(18)を有し、適宜のプラスチック材料、金属材料、木材料、ゴム材料等で形成されている。
【００１５】
上記スペ−サ−(15)の形状は、図においては略円筒状に形成されているが、角筒状、異型筒状その他適宜の形状に形成することができ、上記起立壁(18)の外面に適宜の装飾や商標等を設けることもできる。なお、上記基板(17)の孔(16)は、スペ−サ−(15)を軟質乃至半硬質プラスチック材料、ゴム材料等で構成すれば予め開口させておかなくてもよい。また、孔径は、取付ピン（４）の外周に摩擦接触し、摩擦作用により簡単にスペ−サ−(15)が抜け落ちないようにすることが好ましいが、図２に示すように外周を袋（９）で覆ったり、適宜の台紙等でくるむようにすれば、大きな孔径であってもよい。
【００１６】
上記起立壁(18)は、図においては、連続した環状の壁となっているが、途中に空所を形成して断続的な壁や柱状体（図示略）で形成してもよく、図５に示すように山形状に屈曲する壁(19)であってもよい。
【００１７】
上記基板(17)の他側には、上記小突起(14)を受け入れる空間(20)を形成するよう環状の小突縁(21)が形成されているが、バッチ本体（３）に小突起が設けられていない場合は小突縁(21)や空間(20)を設けなくてもよい。
【００１８】
上記基板(17)には、バッチ本体（３）を起立させてその基端を差し込むことができるよう保持溝(22)が形成されている。該保持溝(22)の幅は、バッチ本体（３）の厚さとほぼ等しく形成すれば、該バッチをほぼ起立させて保持できるし、溝幅を大きくすればバッチ本体を少し傾けた状態で起立させることもできる。略Ｖ字形に２つの保持溝を形成すれば２つのバッチを起立させることもできるし、さらに複数の保持溝を設けるようにしてもよい。
【００１９】
上記スペ−サ−(15)を取付ピン（４）に取付け、その側方から止具（１）を取付ピン（４）に止着すれば、図２に示すように、止具（１）はスペ−サ−(15)の起立壁(18)内に収納され、外部から取付ピンの軸方向に押圧力が作用しても起立壁(18)で受け止められ、止具（１）が取付ピン（４）に強く押し込まれることはない。
【００２０】
上記止具（１）を取付ピン（４）から外し、スペ−サ−(15)を取付ピン（４）から抜き取り、ピンバッチ（２）を保持溝(22)に差し込むと、図４に示すようにピンバッチ（２）を起立して保持することができる。また、取付ピン（４）を基板(17)の孔(16)に挿入すれば、ピンバッチ（２）はほぼ水平に展示できる。
【００２１】
上記実施例においては、スペ−サ−(15)の基板を取付ピン（４）に貫通させるようにしているが、取付ピンに貫通させないようにすることもできる。
【００２２】
図６，図７に示すスペ−サ−(15)は、基板(17)の周囲に止具（１）を取り囲むよう起立する起立壁(18)を有している。これらの基板(17)や起立壁(18)は、上述したように種々の形状，構造等に形成することができるが、図６に示す実施例では、環状の起立壁(18)の内径が止具（１）の外径より大きく形成されている。このような実施例では、全体をぴっちりと袋詰したり、取付ピンを取付けた台紙等で覆って袋詰めすればスペ−サ−が脱落しないようにすることができる。
【００２３】
また、図７に示すように、スペ−サ−(15)の起立壁(18)の内径を、上記止具の本体（５）の外周に嵌合できる程度の内径に形成したり、内面に突起(23)を形成して止具に嵌めるようにすれば、簡単にスペ−サ−(15)が脱落しないようにできる。なお、図６，図７に示す各スペ−サ−(15)にも、ピンバッチ（２）を起立状態で保持するための保持溝(22)が設けられており、上記突起(23)は、図７（Ｂ）に示す実施例では２個設けてあるが、１個若しくは３個以上設けることもできる。
【００２４】
【発明の効果】
本発明は上記のように構成され、取付ピンに差し込む止具を取り囲むよう起立した起立壁を基板の周囲に設けたスペ−サ−を形成し、該スペ−サ−の起立壁内に止具を収納した状態で止具を取付ピンに装着するようにしたから、外部から押圧力が作用しても起立壁で受け止められ、止具が強く押し込まれないようにでき、止具のカバ−片を破って取付ピンの先端が露出するというような事故は生じないようにでき、この際、スペ−サ−の基板を取付ピンに貫通させて取付けると、該スペ−サ−の脱落が阻止され、取扱いが簡便である。
【００２５】
また、上記スペ−サ−に、バッチ本体を起立させて差し込むことができるよう保持溝を形成すると、ピンバッチを起立状態で保持することができ、取付ピンを基板に貫通させれば水平状態に保持することもでき、従来全くみられなかったような新規な展示や観賞方法にすることができる。
【図面の簡単な説明】
【図１】本発明の一実施例を示す分解斜視図。
【図２】スペ−サ−を取付けた状態の断面図。
【図３】スペ−サ−の斜視図。
【図４】ピンバッチを起立させた状態を示すスペ−サ−の断面図。
【図５】スペ−サ−の他の実施例の断面図。
【図６】他のスペ−サ−を示す断面図。
【図７】さらに他のスペ−サ−を示し、（Ａ）は縦断面図、（Ｂ）は横断面図。
【図８】従来のピンバッチの包装状態を示す側面図。
【図９】従来のピンバッチの装着例を示す説明図。
【符号の説明】
１  止具
２  ピンバッチ
３  バッチ本体
４  取付ピン
15  スペ−サ−
17  基板
18  起立壁
22  保持溝
【図１】
0004398554.tif 000002
【図２】
0004398554.tif 000003
【図３】
0004398554.tif 000004
【図４】
0004398554.tif 000005
【図５】
0004398554.tif 000006
【図６】
0004398554.tif 000007
【図７】
0004398554.tif 000008
【図８】
0004398554.tif 000009
【図９】
0004398554.tif 000010